(57)【要約】【課題】  所望のパターン形成領域に整合したパターンを形成することによって生産性を向上したパターン形成方法、識別コード形成方法、液滴吐出装置、電気光学装置の製造方法及び電気光学装置を提供する。【解決手段】  液滴吐出ノズルから吐出した微小液滴がデータセルに着弾する前に、制御部が加熱手段としての加熱ヒータ２４を制御し、基板２（コード形成領域Ｚ）の実基板温度を、着弾した微小液滴が隣接するデータセルに食み出さない温度であって、かつ突沸を起こさない温度、すなわち目標基板温度に維持するようにした。【選択図】      図６
2006239899.tif 000002
【特許請求の範囲】
【請求項１】
基板に設けられたパターン形成領域にパターン形成材料を含む液滴を吐出し、前記パターン形成領域に着弾した前記液滴を定着することによってパターンを形成するようにしたパターン形成方法において、
前記液滴が着弾する前に、予め前記基板を加熱するようにしたことを特徴とするパターン形成方法。
【請求項２】
請求項１に記載のパターン形成方法において、
前記液滴が着弾する前に、前記液滴の濡れ広がりを前記パターン形成領域内に抑制する所定の温度まで前記基板を昇温し、着弾した前記液滴を前記パターン形成領域内に定着するようにしたことを特徴とするパターン形成方法。
【請求項３】
請求項１又は２に記載のパターン形成方法において、
前記基板を載置する載置台を加熱して、前記基板を予め加熱するようにしたことを特徴とするパターン形成方法。
【請求項４】
請求項１又は２に記載のパターン形成方法において、
前記基板に光を照射して、前記基板を予め加熱するようにしたことを特徴とするパターン形成方法。
【請求項５】
基板の一側面にコード形成領域を設け、前記コード形成領域を分割する複数のデータセル内にコードパターンを形成することによって前記基板の識別コードを形成するようにした識別コード形成方法において、
前記コードパターンを、請求項１〜４のいずれか１つに記載のパターン形成方法によって形成するようにしたことを特徴とする識別コード形成方法。
【請求項６】
基板に設けられたパターン形成領域にパターン形成材料を含む液滴を吐出する液滴吐出手段を備えた液滴吐出装置において、
前記基板を加熱する加熱手段と、
前記基板の温度を検出する温度検出手段と、
前記液滴が前記パターン形成領域に着弾する前に、前記温度検出手段の検出した温度に基づいて前記加熱手段を制御し、前記液滴の濡れ広がりを前記パターン形成領域内に抑制する所定の温度まで前記基板の温度を昇温して、着弾した前記液滴を前記パターン形成領域内に定着する温度制御手段と、
を備えたことを特徴とする液滴吐出装置。
【請求項７】
請求項６に記載の液滴吐出装置において、
前記加熱手段は、前記基板を載置する載置台であることを特徴とする液滴吐出装置。
【請求項８】
請求項６に記載の液滴吐出装置において、
前記加熱手段は、前記基板に光を照射する光源であることを特徴とする液滴吐出装置。
【請求項９】
請求項６〜８のいずれか１つに記載の液滴吐出装置において、
前記パターン形成領域は、前記基板の識別コードを形成するためのコード形成領域を分割する複数のデータセルであって、
前記パターンは、前記データセルに形成されて前記識別コードを構成するコードパターンであることを特徴とする液滴吐出装置。
【請求項１０】
表示用基板の一側面に識別コードを形成するようにした電気光学装置の製造方法において
、
前記識別コードを、請求項６に記載の識別コード形成方法によって形成するようにしたことを特徴とする電気光学装置の製造方法。
【請求項１１】
請求項１０に記載の電気光学装置の製造方法によって製造した電気光学装置。
【発明の詳細な説明】
【技術分野】
【０００１】
本発明は、パターン形成方法、識別コード形成方法、液滴吐出装置、電気光学装置の製造方法及び電気光学装置に関する。
【背景技術】
【０００２】
従来、液晶表示装置や有機エレクトロルミネッセンス表示装置（有機ＥＬ表示装置）等の電気光学装置には、画像を表示するための透明ガラス基板（以下単に、基板という。）が備えられている。この種の基板には、品質管理や製造管理を目的として、その製造元や製品番号等の製造情報をコード化した識別コード（例えば、２次元コード）が形成されている。こうした識別コードは、配列された多数のパターン形成領域（データセル）の一部に、パターンとしてのコードパターン（例えば、有色の薄膜や凹部）を備え、そのコードパターンの有無によって前記製造情報をコード化している。
【０００３】
その識別コードの形成方法には、金属箔にレーザ光を照射してコードパターンをスパッタ成膜するレーザスパッタ法や、研磨材を含んだ水を基板等に噴射してコードパターンを刻印するウォータージェット法が提案されている（特許文献１、特許文献２）。
【０００４】
しかし、上記レーザスパッタ法では、所望するサイズのコードパターンを得るために、金属箔と基板の間隙を、数〜数十μｍに調整しなければならない。つまり、基板と金属箔の表面に対して非常に高い平坦性が要求され、しかも、これらの間隙をμｍオーダの精度で調整しなければならない。その結果、識別コードを形成できる対象基板が制限されて、その汎用性を損なう問題を招いていた。また、ウォータジェット法では、基板の刻印時に、水や塵埃、研磨剤等が飛散するため、同基板を汚染する問題があった。
【０００５】
近年、こうした生産上の問題を解消する識別コードの形成方法として、インクジェット法が注目されている。インクジェット法は、金属微粒子を含む微小液滴を液滴吐出装置から吐出し、その液滴を乾燥させることによってコードパターンを形成する。そのため、識別コードを形成する基板の対象範囲を拡大することができ、同基板の汚染等を回避して識別コードを形成することができる。
【特許文献１】特開平１１−７７３４０号公報
【特許文献２】特開２００３−１２７５３７号公報
【発明の開示】
【発明が解決しようとする課題】
【０００６】
しかしながら、上記インクジェット法では、基板に着弾した液滴を乾燥することによってコードパターンを形成するため、以下の問題を招いていた。
すなわち、着弾した液滴が基板上で濡れ広がると、コードパターンが、対応するデータセルから食み出し、コードパターンを形成しない隣接データセル内まで広がる。その結果、コードパターンの有無が誤って読み取られ、基板情報を損なうといった識別コードの製造不良を招き、識別コードの生産性、ひいては電気光学装置の生産性を損なう問題があった。
【０００７】
本発明は、上記問題を解決するためになされたものであり、その目的は、所望のパターン形成領域に整合したパターンを形成することによって生産性を向上したパターン形成方法、識別コード形成方法、液滴吐出装置、電気光学装置の製造方法及び電気光学装置を提供することである。
【課題を解決するための手段】
【０００８】
本発明のパターン形成方法は、基板に設けられたパターン形成領域にパターン形成材料を含む液滴を吐出し、前記パターン形成領域に着弾した前記液滴を定着することによって前記パターン形成領域にパターンを形成するようにしたパターン形成方法において、前記液滴が着弾する前に、予め前記基板を加熱するようにした。
【０００９】
本発明のパターン形成方法によれば、予め基板を加熱する分だけ、着弾した液滴の濡れ広がりを抑制することができ、パターン形成領域外への液滴の食み出しを低減することができる。その結果、パターン形成領域に対するパターンの位置整合性を向上することができ、パターンの生産性を向上することができる。
【００１０】
このパターン形成方法は、前記液滴が着弾する前に、前記液滴の濡れ広がりを前記パターン形成領域内に抑制する所定の温度まで前記基板の温度を昇温し、着弾した前記液滴を前記パターン形成領域内に定着するようにした。
【００１１】
このパターン形成方法によれば、着弾した液滴の濡れ広がりをパターン形成領域内に抑制するため、パターン形成領域に整合したパターンを、確実に形成することができる。
このパターン形成方法は、前記基板を載置する載置台を加熱して、前記基板を予め加熱するようにした。
【００１２】
このパターン形成方法によれば、基板を載置する載置台を加熱するため、液滴が着弾する直前まで、確実に基板を加熱することができる。その結果、パターン形成領域に整合したパターンを、より確実に形成することができる。
【００１３】
このパターン形成方法は、前記基板に光を照射して、前記基板を予め加熱するようにした。
このパターン形成方法によれば、光の照射によって加熱するため、加熱源を基板に接触させることなく加熱することができる。その結果、基板の形状に依存することなく、所望の温度まで確実に基板を加熱することができる。従って、パターン形成領域に整合したパターンを、より確実に形成することができる。
【００１４】
本発明の識別コード形成方法は、基板の一側面にコード形成領域を設け、前記コード形成領域を分割する複数のデータセル内にコードパターンを形成することによって前記基板の識別コードを形成するようにした識別コード形成方法において、前記コードパターンを、上記パターン形成方法によって形成するようにした。
【００１５】
本発明の識別コード形成方法によれば、データセルからはみ出すことなく、同データセルに整合したコードパターンからなる識別コードを形成することができる。従って、識別コードの生産性を向上することができる。
【００１６】
本発明の液滴吐出装置は、基板に設けられたパターン形成領域にパターン形成材料を含む液滴を吐出する液滴吐出手段を備えた液滴吐出装置において、前記基板を加熱する加熱手段と、前記基板の温度を検出する温度検出手段と、前記液滴が前記パターン形成領域に着弾する前に、前記温度検出手段の検出した温度に基づいて前記加熱手段を制御し、前記液滴の濡れ広がりを前記パターン形成領域内に抑制する所定の温度まで前記基板の温度を昇温して、着弾した前記液滴を前記パターン形成領域に定着する温度制御手段と、を備えた。
【００１７】
本発明の液滴吐出装置によれば、着弾した液滴の濡れ広がりをパターン形成領域内に抑
制するため、液滴をパターン形成領域内からはみ出すことなく、同パターン形成領域に整合したパターンを形成することができる。従って、パターンの生産性を向上することができる。
【００１８】
この液滴吐出装置において、前記加熱手段は、前記基板を載置する載置台である。
この液滴吐出装置によれば、基板を載置する載置台を加熱するため、液滴が着弾する直前まで、確実に基板を加熱することができる。その結果、パターン形成領域に整合したパターン形成を、より確実に形成することができる。
【００１９】
この液滴吐出装置において、前記加熱手段は、前記基板に光を照射する光源である。
この液滴吐出装置によれば、光を照射することによって基板を加熱するため、加熱源を基板に接触させることなく加熱することができる。その結果、基板の形状に依存することなく、同基板を、確実に所望の温度まで加熱することができる。従って、パターン形成領域に整合したパターンを、より確実に形成することができる。
【００２０】
この液滴吐出装置において、前記パターン形成領域は、前記基板の識別コードを形成するためのコード形成領域を分割する複数のデータセルであって、前記パターンは、前記データセルに形成されて前記識別コードを構成するコードパターンである。
【００２１】
この液滴吐出装置によれば、データセルからはみ出すことなく、対応するデータセルに整合したコードパターンからなる識別コードを形成することができる。
本発明の電気光学装置の製造方法は、表示用基板の一側面に識別コードを形成するようにした電気光学装置の製造方法において、前記識別コードを、上記識別コード形成方法によって形成するようにした。
【００２２】
本発明の電気光学装置の製造方法によれば、識別コードの生産性を向上して、電気光学装置の生産性を向上することができる。
本発明の電気光学装置は、電気光学装置の製造方法によって製造した。
【００２３】
本発明の電気光学装置によれば、電気光学装置の生産性を向上することができる。
【発明を実施するための最良の形態】
【００２４】
まず、本発明を具体化した電気光学装置としての液晶表示装置について説明する。図１は、液晶表示装置を示す正面図である。
図１に示すように、液晶表示装置１は、表示用基板としての透明ガラス基板（以下単に、基板２という。）を備えている。基板２の表面２ａには、液晶分子を封入した四角形状の表示部３が形成され、その表示部３の外側には、走査線駆動回路４及びデータ線駆動回路５が形成されている。そして、液晶表示装置１は、走査線駆動回路４の供給する走査信号とデータ線駆動回路５の供給するデータ信号に基づいて前記液晶分子の配向状態を制御し、図示しない照明装置から照射された平面光を、前記液晶分子の配向状態で変調することによって、表示部３に、所望の画像を表示するようになっている。
【００２５】
次に、前記基板２に形成される前記基板２の識別コードについて説明する。図２及び図３は、液晶表示装置の裏面に形成された識別コードを示す正面図及び側面図であって、図４は、同識別コードの構成を説明するための説明図である。
【００２６】
図１に示すように、基板２の裏面２ｂの右側上端には、該液晶表示装置１の製造元や製造番号等の製造情報をコード化した識別コード１０が形成されている。図２に示すように、識別コード１０は、コード形成領域Ｚ内に形成された複数のコードパターン１１によって構成されている。
【００２７】
コード形成領域Ｚは、図４に示すように、正方形の領域であって、１６行×１６列のパターン形成領域（データセルＣ）に、均等に仮想分割されている。詳述すると、コード形成領域Ｚは、そのサイズが１．１２ｍｍ×１．１２ｍｍで形成され、データセルＣは７０μｍ×７０μｍで形成されている。尚、本実施形態では、各データセルＣに対して、図４の上側から順に、１行目のデータセルＣ、２行目のデータセルＣ、・・・、１６行目のデータセルＣとする。
【００２８】
コードパターン１１は、図２及び図３に示すように、パターン形成材料としての金属微粒子（例えば、マンガン微粒子）を焼成することによって形成された略半球状の薄膜パターンであって、基板２に密着するように形成されている。そして、前記製造情報のコード化に基づいて選択されたデータセルＣ内に、所定のサイズ（例えば、データセルＣの面積の７０％以上を占有する大きさ）のコードパターン１１が形成されることによって、前記製造情報を読み取り可能にする識別コード１０が形成されている。つまり、本実施形態における識別コード１０は、コードパターン１１の形成されたデータセルＣ（黒セルＣ１）と、コードパターン１１の形成されないデータセルＣ（白セルＣ０）とからなる、いわゆる２次元コードである。
【００２９】
次に、上記識別コード１０の形成方法について以下に説明する。まず、識別コードを形成するために使用する液滴吐出装置２０の構成について説明する。図５は、液滴吐出装置を示す斜視図であって、図６は、図５のＡ−Ａに沿う概略断面図である。
【００３０】
図５に示すように、液滴吐出装置２０は、支持台２１を有し、この支持台２１には、搬送台２２が設けられている。搬送台２２は、支持台２１の長手方向（図５に示すＹ矢印方向）に、Ｙ軸駆動機構（Ｙ軸モータＭＹ：図９参照）によって往復直線移動するようになっている。その搬送台２２の上面（載置面２２ａ）には、基板２が、その裏面２ｂ、すなわちコード形成領域Ｚを上側にして載置されている。尚、裏面２ｂに形成されたコード形成領域Ｚは、各データセルＣの列方向がＹ矢印方向に沿うように設定され、かつ１行目のデータセルＣが最もＹ矢印方向側となるように配置形成されている。
【００３１】
図６に示すように、その載置面２２ａ上であってコード形成領域Ｚの直下には、基板温度検出器２３が配設され、基板２（コード形成領域Ｚ）の温度を検出するようになっている。また、搬送台２２の内部には、加熱ヒータ２４が備えられ、搬送台２２（載置面２２ａ）を介して、載置された基板２（コード形成領域Ｚ）を加熱するようになっている。
【００３２】
そして、この搬送台２２が、基板２を載置した状態で、同基板２（コード形成領域Ｚ）を加熱しながら、Ｙ矢印方向及び反Ｙ矢印方向に搬送するようになっている。尚、本実施形態では、搬送台２２の配置位置であって、図５に示すように、支持台２１の最も手前側に配置する位置を往動位置とし、最も奥側に配置する位置（図５及び図６に示す２点鎖線）を復動位置とする。
【００３３】
図５に示すように、支持台２１には、門形の支持フレーム２５が、Ｙ矢印方向（反Ｙ矢印方向）に移動する搬送台２２を跨ぐように、Ｙ矢印方向と直交する方向（Ｘ矢印方向）に沿って架設されている。支持フレーム２５には、Ｘ矢印方向に延びる上下一対のガイドレール２６ａ，２６ｂが配設されている。上下一対のガイドレール２６ａ，２６ｂには、キャリッジ２７が摺動可能に設けられ、Ｘ軸駆動機構（Ｘ軸モータＭＸ：図９参照）により、同ガイドレール２６ａ，２６ｂに沿って往復直線移動するようになっている。このキャリッジ２７の下面には、液滴吐出手段としての液滴吐出ヘッド２８が一体的に設けられている。また、支持フレーム２５の上側には、前記金属微粒子を分散媒に分散させた機能液Ｌ（図８参照）を収容する収容タンク２５ｔが配設され、前記液滴吐出ヘッド２８内に
機能液Ｌを供給するようになっている。
【００３４】
図７は、前記液滴吐出ヘッド２８の下面を上側にした斜視図であって、図８は、液滴吐出ヘッド２８の概略断面図である。液滴吐出ヘッド２８は、その下側にノズルプレート２９を備え、その下面が、搬送台２２に載置した基板２の裏面２ｂ（コード形成領域Ｚ）に対して平行に対峙するように配設されている。そのノズルプレート２９には、コードパターン１１を形成するための１６個の液滴吐出ノズル３０が長手方向（Ｘ矢印方向：識別コード１０の行方向）に一列となって等間隔に貫通形成されている。
【００３５】
尚、本実施形態の液滴吐出ノズル３０は、そのピッチ幅が、データセルＣの形成ピッチ（本実施形態では７０μｍ）と同じ大きさで形成されている。つまり、各液滴吐出ノズル３０は、基板２（コード形成領域Ｚ）がＹ矢印方向に沿って往復直線移動するときに、それぞれ列方向に沿うコードパターン１１と対峙するように配置形成されている。
【００３６】
図８に示すように、ノズルプレート２９の上側であって各液滴吐出ノズル３０と相対する位置には、前記収容タンク２５ｔに連通して、機能液Ｌを各液滴吐出ノズル３０に供給可能にするキャビティ３１が形成されている。キャビティ３１の上側には、上下方向に振動してキャビティ３１内の容積を拡大縮小する振動板３２と、上下方向に伸縮して振動板３２を振動させる圧電素子３３が配設されている。
【００３７】
そして、液滴吐出ヘッド２８が圧電素子３３を駆動制御するための信号（吐出信号）を受けると、対応する圧電素子３３が伸張してキャビティ３１内の容積を縮小し、縮小した容積分の機能液Ｌが、対応する液滴吐出ノズル３０から微小液滴３５として吐出される。
【００３８】
次に、上記のように構成した液滴吐出装置２０の電気的構成を図９に従って説明する。
図９において、温度制御手段としての制御部４０は、ＣＰＵ、ＲＡＭ、ＲＯＭ等を備え、ＲＯＭ等に格納された制御プログラム、識別コード作成プログラムに従って、搬送台２２を移動させて基板２の搬送処理動作及び液滴吐出ヘッド２８（圧電素子３３）を駆動させて液滴吐出処理動作を行う。
【００３９】
ＲＯＭには、基板２に識別コード１０を作成するためのビットマップデータＢＭＤが予め格納されている。このビットマップデータＢＭＤは、製造元や製造番号等の製造情報を、公知の方法で１６行×１６行の２次元コード形式にコード化し、そのコード化したデータを、１６本の液滴吐出ノズル３０に相対させてビットマップ化したデータである。すなわち、ビットマップデータＢＭＤは、基板２（コード形成領域Ｚ）がＹ矢印方向に移動するときに、各液滴吐出ノズル３０が対峙する１６個の列方向のデータセルＣに対して、それぞれ微小液滴３５を吐出するか否かを示すデータである。
【００４０】
また、ＲＯＭには、微小液滴３５が裏面２ｂ（コード形成領域Ｚ）に着弾する前の基板２（コード形成領域Ｚ）の温度情報（目標基板温度Ｔｐ）が格納されている。本実施形態の目標基板温度Ｔｐは、データセルＣ（黒セルＣ１）に着弾した微小液滴３５（図８に示す２点鎖線）が、当該黒セルＣ１内で定着する温度、すなわち着弾した微小液滴３５が隣接するデータセルＣに食み出さない温度であって、かつ突沸を起こさない温度に設定されている。尚、本実施形態では、その目標基板温度Ｔｐを、各種試験等に基づいて５０℃と設定するが、この目標基板温度Ｔｐは、裏面２ｂに対する微小液滴３５の接触角（濡れ性）や微小液滴３５の表面張力、さらには微小液滴３５の分散媒の沸点等によって異なるため、これに限られるものではない。
【００４１】
制御部４０は、Ｘ軸モータ駆動回路４１が接続されて、Ｘ軸モータ駆動回路４１にＸ軸モータ駆動制御信号を出力するようになっている。Ｘ軸モータ駆動回路４１は、制御部４
０からのＸ軸モータ駆動制御信号に応答して、前記キャリッジ２７を往復移動させるＸ軸駆動機構中のＸ軸モータＭＸを正転又は逆転させるようになっている。そして、例えば、Ｘ軸モータＭＸを正転させると、キャリッジ２７はＸ矢印方向に移動し、逆転させるとキャリッジ２７は反Ｘ矢印方向に移動するようになっている。
【００４２】
制御部４０は、Ｙ軸モータ駆動回路４２が接続されて、Ｙ軸モータ駆動回路４２にＹ軸モータ駆動制御信号を出力するようになっている。Ｙ軸モータ駆動回路４２は、制御部４０からのＹ軸モータ駆動制御信号に応答して、前記搬送台２２を往復移動させるＹ軸駆動機構中のＹ軸モータＭＹを正転又は逆転させるようになっている。例えば、Ｙ軸モータＭＹを正転させると、搬送台２２はＹ矢印方向に移動し、逆転させると搬送台２２は反Ｙ矢印方向に移動する。
【００４３】
制御部４０は、ノズル駆動回路４３が接続されている。制御部４０は、微小液滴３５を吐出する所定のタイミングで吐出タイミング信号を生成し、同タイミング信号に基づいて、ノズル駆動回路４３に吐出信号を出力する。ノズル駆動回路４３は、制御部４０からの吐出信号に基づいて、液滴吐出ヘッド２８に設けた各圧電素子３３のうち、吐出信号に応じた圧電素子３３を通電して駆動させる。そして、その圧電素子３３に対応する液滴吐出ノズル３０から微小液滴３５を吐出させる。
【００４４】
制御部４０は、加熱ヒータ駆動回路４４が接続されて、加熱ヒータ駆動回路４４に加熱ヒータ駆動制御信号Ｓｈを出力する。加熱ヒータ駆動回路４４は、制御部４０からの加熱ヒータ駆動制御信号Ｓｈに基づいて、加熱ヒータ２４を通電して駆動させ、搬送台２２（載置面２２ａ）に載置された基板２（コード形成領域Ｚ）を加熱する。
【００４５】
制御部４０には、入力装置４５が接続されている。入力装置４５は、起動スイッチ、停止スイッチ等の操作スイッチを有し、各スイッチの操作による操作信号を制御部４０に出力する。
【００４６】
制御部４０には、Ｘ軸モータ回転検出器４６が接続されて、Ｘ軸モータ回転検出器４６からの検出信号が入力される。制御部４０は、Ｘ軸モータ回転検出器４６からの検出信号に基づいて、Ｘ軸モータＭＸの回転方向及び回転量を検出し、液滴吐出ヘッド２８に対する基板２のＸ矢印方向の移動方向及び移動量を演算する。
【００４７】
制御部４０には、Ｙ軸モータ回転検出器４７が接続されて、Ｙ軸モータ回転検出器４７からの検出信号が入力される。制御部４０は、Ｙ軸モータ回転検出器４７からの検出信号に基づいて、Ｙ軸モータＭＹの回転方向及び回転量を検出し、液滴吐出ヘッド２８に対する基板２のＹ矢印方向の移動方向及び移動量を演算する。
【００４８】
制御部４０には、基板位置検出器４８が接続されている。基板位置検出器４８は、基板２の端縁を検出可能な撮像機能等を備え、制御部４０によって液滴吐出ヘッド２８の直下を通過する基板２の位置を算出する際に利用される。
【００４９】
制御部４０は、温度検出手段としての基板温度検出器２３が接続されて、基板温度検出器２３の検出信号Ｓｔに基づいて基板２（コード形成領域Ｚ）の実基板温度Ｔａを算出する。また、制御部４０は、算出した実基板温度ＴａとＲＯＭに格納する目標基板温度Ｔｐに基づいて、実基板温度Ｔａを目標基板温度Ｔｐにするための前記加熱ヒータ駆動制御信号Ｓｈを生成する。
【００５０】
次に、液滴吐出装置２０を使って識別コード１０を形成する方法について説明する。
まず、図５及び図６に示す状態、すなわち搬送台２２が往動位置に位置する状態で、基
板２を、その裏面２ｂが上側になるように搬送台２２に配置固定する。この状態から、入力装置４５に識別コード１０を形成するための操作信号を入力すると、制御部４０は、ＲＯＭに格納した識別コード作成プログラムを読み出し、基板温度検出器２３の検出信号Ｓｔに基づいて、基板２の実基板温度Ｔａを算出する。続いて、制御部４０は、ＲＯＭに格納した目標基板温度Ｔｐを読み出し、算出した実基板温度Ｔａと読み出した目標基板温度Ｔｐに基づいて、基板２の温度（実基板温度Ｔａ）を目標基板温度Ｔｐにするための加熱ヒータ駆動制御信号Ｓｈを生成して加熱ヒータ駆動回路４４に出力する。そして、制御部４０は、加熱ヒータ駆動回路４４を介して、基板２の実基板温度Ｔａを目標基板温度Ｔｐにする。
【００５１】
尚、制御部４０は、コード形成領域Ｚの全黒セルＣ１に微小液滴３５が着弾し終わるまで、上記加熱ヒータ駆動制御信号Ｓｈを生成し、こうした基板２の温度制御によって、実基板温度Ｔａを目標基板温度Ｔｐに維持する。
【００５２】
実基板温度Ｔａが目標基板温度Ｔｐになると、制御部４０は、Ｙ軸モータＭＹを駆動制御し、搬送台２２（基板２）をＹ矢印方向に搬送させる。やがて、基板位置検出器４８が基板２のＹ矢印方向側の端縁を検出すると、制御部４０は、Ｘ軸モータＭＸを駆動制御し、キャリッジ２７（液滴吐出ノズル３０）をコード形成領域Ｚの移動経路直上（Ｙ矢印方向直上）に配置する。また、制御部４０は、ＲＯＭに格納した当該基板２に対するビットマップデータＢＭＤを読み出し、同ビットマップデータＢＭＤに基づいた吐出信号を出力するためのタイミングを待つ。すなわち、制御部４０は、基板２をＹ矢印方向に搬送させながら、Ｙ軸モータ回転検出器４７からの検出信号に基づいて、コード形成領域Ｚ（１行目のデータセルＣ）が液滴吐出ヘッド２８（液滴吐出ノズル３０）の直下に搬送されたか否かを判断する。
【００５３】
そして、制御部４０は、１行目のデータセルＣが液滴吐出ノズル３０の直下に搬送されるタイミングで吐出タイミング信号を生成し、前記ビットマップデータＢＭＤの中から１行目のデータセルＣに相対するデータを抽出する。そして、黒セルＣ１と対峙する液滴吐出ノズル３０に微小液滴３５を吐出させる吐出信号を生成してノズル駆動回路４３に出力する。これによって、１行目のデータセルＣであって黒セルＣ１にのみ微小液滴３５が吐出される。
【００５４】
このとき、黒セルＣ１に吐出された微小液滴３５は、実基板温度Ｔａが目標基板温度Ｔｐに維持されるため、対応する黒セルＣ１内から食み出ることなく、当該黒セルＣ１内で定着する。
【００５５】
以後同様にして、制御部４０は、各行のデータセルＣが液滴吐出ノズル３０の直下に搬送されるタイミングで吐出タイミング信号を生成し、順次各行に相対する吐出信号をノズル駆動回路４３に出力して、全黒セルＣ１に微小液滴３５を吐出する。
【００５６】
コード形成領域Ｚ（黒セルＣ１）にコードパターン１１を形成するための微小液滴３５が吐出されると、液滴吐出装置２０による識別コード１０を形成するための液滴吐出動作を終了する。そして、制御部４０は、Ｙ軸モータＭＹを制御して、基板２を、液滴吐出ヘッド２８の下方位置から往動位置に退出する。
【００５７】
識別コード１０を形成するための液滴吐出工程が終了すると、基板２を所定の乾燥・焼成炉等に移載し、微小液滴３５の分散媒を蒸発させ、続いて金属微粒子を焼成させる。これによって、黒セルＣ１内に固着した半球状のコードパターン１１からなる識別コード１０を基板２上に形成する。
【００５８】
上記実施形態によれば、以下のような効果を得ることができる。
（１）上記実施形態では、黒セルＣ１と対峙する液滴吐出ノズル３０から吐出した微小液滴３５が黒セルＣ１に着弾する前に、制御部４０が加熱手段としての加熱ヒータ２４を制御し、基板２（コード形成領域Ｚ）の実基板温度Ｔａを、着弾した微小液滴３５が隣接するデータセルＣに食み出さない温度であって、かつ突沸を起こさない温度、すなわち目標基板温度Ｔｐに維持するようにした。
【００５９】
その結果、着弾した微小液滴３５を黒セルＣ１内から食み出だすことなく、当該黒セルＣ１内に定着させることができる。従って、データセルＣに対するコードパターン１１の位置整合性を向上することができ、コードパターン１１の生産性、ひいては識別コード１０の生産性を向上することができる。
【００６０】
（２）上記実施形態では、搬送台２２に加熱ヒータ２４を設けることによって、基板２（コード形成領域Ｚ）を目標基板温度Ｔｐに維持するようにした。その結果、微小液滴３５が着弾する直前まで、実基板温度Ｔａを、確実に目標基板温度Ｔｐにすることができる。その結果、データセルＣに位置整合したコードパターン１１を、より確実に形成することができる。
【００６１】
尚、上記実施形態は以下のように変更してもよい。
・上記実施形態では、加熱手段を加熱ヒータ２４に具体化した。これに限らず、例えば、基板２によって光熱変換可能な波長の光（例えば、赤外波長領域の光）を、ランプ（例えば、赤外線ランプ）やレーザ（例えば、赤外線レーザ）によってコード形成領域Ｚに照射するようにしてもよい。
【００６２】
これによれば、コード形成領域Ｚを非接触で加熱することができるため、基板２の形状（例えば、裏面２ｂや表面２ａの凹凸形状）に依存することなく、コード形成領域Ｚを、目標基板温度Ｔｐまで、確実に昇温することができる。従って、黒セルＣ１に整合したコードパターン１１を、より確実に形成することができる。
【００６３】
・上記実施形態では、液滴吐出動作を終了した後に、基板２を所定の乾燥・焼成炉等に移載して、微小液滴３５の本乾燥と、金属微粒子の焼成を行うようにした。
これを変更し、微小液滴３５を乾燥して金属微粒子を焼成可能なレーザ光（例えば、波長が８００ｎｍ近傍のレーザ光）を照射するレーザ光源をキャリッジ２７に搭載し、同レーザ光を、１行目の黒セルＣ１（微小液滴３５）から１６行目の黒セルＣ１に対して順次照射し、コードパターン１１を形成するようにしてもよい。
【００６４】
これによれば、基板２を移載する時間等を省くことができ、識別コード１０の生産性を、さらに向上することができる。
・上記実施形態では、コードパターン１１を金属微粒子で構成するようにしたが、これに限らず、例えば顔料で形成してもよく、コードリーダで読み取ることができるものであればよい。
【００６５】
・上記実施形態では、各コードパターン１１を一滴の微小液滴３５で形成する構成にしたが、これに限らず、複数滴の微小液滴３５で形成するようにしてもよい。
・上記実施形態では、コードパターン１１を平面視方向から見て円形状に形成したが、これに限らず、例えば楕円形状や線状であってもよく、その形状に限定されるものではない。
【００６６】
・上記実施形態では、パターンを２次元コード（識別コード１０）に具体化したが、これに限らず、例えばバーコード、文字、数字、記号等であってもよい。さらには、金属配
線等のパターンであってもよく、吐出した微小液滴３５をパターン形成領域内に定着させるパターンであればよい。
【００６７】
・上記実施形態では、液滴吐出動作の前に裏面２ｂの表面処理を施さない構成にしたが、これに限らず、例えばコードパターン１１と裏面２ｂの密着性を向上させる表面処理（酸素プラズマ等による洗浄処理等）を施すようにしてもよい。あるいは、微小液滴３５の濡れ広がりを抑制する表面処理（フッ素系樹脂からなる塗布膜形成等）を施すようにしてもよい。これによれば、黒セルＣ１に密着して位置整合したコードパターン１１を、より確実に形成することができる。
【００６８】
・上記実施形態では、識別コード１０を形成するための基板を透明ガラス基板２に具体化したが、これに限らず、例えば液晶表示装置１に使用するフレキシブル基板やリジッド回路基板等であってもよい。
【００６９】
・上記実施形態では、電気光学装置を液晶表示装置１に具体化した。これに限らず、例えば有機エレクトロルミネッセンス表示装置であってもよく、あるいは平面状の電子放出素子を備え、同素子から放出された電子による蛍光物質の発光を利用した電界効果型装置（ＦＥＤやＳＥＤ等）を備えた電気光学装置であってもよい。
【図面の簡単な説明】
【００７０】
【図１】液晶表示装置を示す正面図。
【図２】識別コードを示す正面図。
【図３】識別コードを示す側面図。
【図４】識別コードの構成を説明する説明図。
【図５】液滴吐出装置を示す概略斜視図。
【図６】液滴吐出装置を示す概略断面図。
【図７】液滴吐出ヘッドを示す概略斜視図。
【図８】液滴吐出ヘッドを示す概略断面図。
【図９】液滴吐出装置の電気的構成を説明するブロック図。
【符号の説明】
【００７１】
１…電気光学装置としての液晶表示装置、２…基板、１０…識別コード、１１…パターンとしてのコードパターン、２０…液滴吐出装置、２３…温度検出手段としての基板温度検出器、２８…液滴吐出手段としての液滴吐出ヘッド、４０…温度制御手段としての制御部、Ｃ…パターン形成領域としてのデータセル、Ｚ…コード形成領域。
【図１】
2006239899.tif 000003
【図２】
2006239899.tif 000004
【図３】
2006239899.tif 000005
【図４】
2006239899.tif 000006
【図５】
2006239899.tif 000007
【図６】
2006239899.tif 000008
【図７】
2006239899.tif 000009
【図８】
2006239899.tif 000010
【図９】
2006239899.tif 000011